(57)【要約】【課題】血糖測定装置等の対象装置の構成を複雑化することなく、また、その装置の操作に影響を及ぼすことなく、その時刻情報等の誤差情報等を適切に利用者等に供給することができる情報管理装置及び情報管理方法を提供すること。【解決手段】対象装置５０の登録順の時刻情報を伴う基本情報５７ａを取得する対象装置情報取得部１８と、時刻情報を伴う基本情報を格納する基本情報格納部２２と、時刻情報の過誤の存否を判断する時刻過誤判断部２６、２７、２８と、時刻過誤判断部が、時刻情報に過誤が存在すると判断したときは、その過誤情報を表示する表示部１２と、を有し、時刻過誤判断部が、少なくとも、時刻情報の登録順情報の過誤及び／又は時刻情報の未来時刻の存否を判断する情報管理装置１０。【選択図】図７
2010237844.tif 000002
【特許請求の範囲】
【請求項１】
対象装置の登録順の時刻情報を伴う基本情報を取得する対象装置情報取得部と、
前記時刻情報を伴う基本情報を格納する基本情報格納部と、
前記時刻情報の過誤の存否を判断する時刻過誤判断部と、
前記時刻過誤判断部が、前記時刻情報に過誤が存在すると判断したときは、その過誤情報を表示する表示部と、を有し、
前記時刻過誤判断部が、少なくとも、前記時刻情報の登録順情報の過誤及び／又は前記時刻情報の未来時刻の存否を判断することを特徴とする情報管理装置。
【請求項２】
前記基本情報は、複数回にわたって取り込まれた複数の取込基本情報を有し、
前記取込基本情報は、取込時刻情報付与部により、取込時刻情報と関連付けて取込時刻情報付基本情報として登録され、
複数の取込時刻情報付基本情報のうち、特定の前記取込時刻情報付基本情報が、それ以前に取り込んだ前記取込時刻情報付基本情報の少なくとも一部の前記基本情報を重複して保有しているか否か判断し、重複しているときは、前記取込時刻情報付基本情報から当該重複して保有している前記基本情報を当該取込時刻情報付基本情報から除外する重複情報判断処理部を備え、
前記時刻過誤判断部が、前記取込時刻情報に基づき当該直近の前記取込時刻情報付基本情報と、その直前の前記取込時刻情報付基本情報とを比較し、前記当該取込時刻情報付基本情報の前記時刻情報が、前記直前の前記取込時刻情報付基本情報の前記時刻情報の最新情報より過去の前記時刻情報を有しているか否かを判断することを特徴とする請求項１に記載の情報管理装置。
【請求項３】
前記時刻過誤判断部が、前記時刻情報に過誤が存在すると判断したときは、その過誤情報を前記対象装置の表示部に表示させる構成となっていることを特徴とする請求項１又は請求項２に記載の情報管理装置。
【請求項４】
対象装置の登録順の時刻情報を伴う基本情報を対象装置情報取得部が取得する工程と、
前記時刻情報を伴う基本情報を基本情報格納部に格納する工程と、
前記時刻情報の過誤の存否を時刻過誤判断部が判断する工程と、
前記時刻過誤判断部が、前記時刻情報に過誤が存在すると判断したときは、その過誤情報を表示部に表示する工程と、を有し、
前記時刻過誤判断部が、少なくとも、前記時刻情報の登録順情報の過誤及び／又は前記時刻情報の未来時刻の存否を判断することを特徴とする情報管理方法。
【請求項５】
前記基本情報は、複数回にわたって取り込まれた複数の取込基本情報を有し、
前記取込基本情報は、取込時刻情報付与部により、取込時刻情報と関連付けて取込時刻情報付基本情報として登録され、
複数の取込時刻情報付基本情報のうち、特定の前記取込時刻情報付基本情報が、それ以前に取り込んだ前記取込時刻情報付基本情報の少なくとも一部の前記基本情報を重複して保有しているか否か判断し、重複しているときは、重複情報判断処理部が、前記取込時刻情報付基本情報から当該重複して保有している前記基本情報を当該取込時刻情報付基本情報から除外する工程を備え、
前記時刻過誤判断部が、前記取込時刻情報に基づき当該直近の前記取込時刻情報付基本情報と、その直前の前記取込時刻情報付基本情報とを比較し、前記当該取込時刻情報付基本情報の前記時刻情報が、前記直前の前記取込時刻情報付基本情報の前記時刻情報の最新情報より過去の前記時刻情報を有しているか否かを判断することを特徴とする請求項４に記載の情報管理方法。
【請求項６】
前記時刻過誤判断部が、前記時刻情報に過誤が存在すると判断したときは、その過誤情報を前記対象装置の表示部に表示させる構成となっていることを特徴とする請求項４又は請求項５に記載の情報管理方法。
【発明の詳細な説明】
【技術分野】
【０００１】
本発明は、血糖測定装置等の他の装置から取得した基本情報の計時情報を管理するための情報管理装置及び情報管理方法に関するものである。
【背景技術】
【０００２】
従来より、血糖測定装置等の機器は、内部に時計を有しており、測定が終わると、時計の時刻情報を参照し、この時刻を測定データと関連付けて、登録する機能を有している。そして、血糖測定装置の使用者は、かかる測定データが蓄積した状態で、当該血糖測定器を持って、病院等に行き、担当する医師等にかかる蓄積した測定データを提供することなる。
このとき、医師側は、血糖測定装置内に蓄積された測定時刻を伴う測定データを、コンピュータ等の情報管理装置に取り込み、測定時刻と測定データから病気等を診断することになる。
一方、血糖測定装置は、その内部に時計を有しているが、その精度はそれほど高くなく、時刻に誤差が生じる場合がある。そのため、血糖測定装置は、この誤差を修正するための時刻修正装置を有している。
しかし、この血糖測定装置の使用者は老人等が多いため、この時刻修正装置を誤って操作する場合があり、この場合、折角測定した測定データが誤ったデータとなり、ひいては、医師等が診断を誤る等の問題があった。
【０００３】
一般に測定装置の時刻に誤差等が生じた場合、他の装置の精度の高い時刻データに基づいて、自動的に修正等することが行われている（例えば、特許文献１等）。
【先行技術文献】
【特許文献】
【０００４】
【特許文献１】特開２００３−２６５４１９号公報（図１等）
【発明の概要】
【発明が解決しようとする課題】
【０００５】
しかし、血糖測定装置等は、使用者が廉価に利用できることが重要であり、常時、他の装置と通信して、精度の高い時刻情報を取得する構成とすると構成が複雑化し、極めて高価なものとなってしまうという問題がある。
また、病院等で血糖測定装置等を情報管理装置と接続している際に、情報管理装置の精度の高い時刻情報に基づいて、血糖測定装置の時計の誤差を自動的に修正しようとすると、医療機器である血糖測定装置等の操作に影響を及ぼすという問題もあった。
【０００６】
そこで、血糖測定装置等の対象装置の構成を複雑化することなく、また、その装置の操作に影響を及ぼすことなく、その時刻情報等の誤差情報等を適切に利用者等に供給することができる情報管理装置及び情報管理方法を提供することを目的とする。
【課題を解決するための手段】
【０００７】
前記課題は、本発明によれば、対象装置の登録順の時刻情報を伴う基本情報を取得する対象装置情報取得部と、前記時刻情報を伴う基本情報を格納する基本情報格納部と、前記時刻情報の過誤の存否を判断する時刻過誤判断部と、前記時刻過誤判断部が、前記時刻情報に過誤が存在すると判断したときは、その過誤情報を表示する表示部と、を有し、前記時刻過誤判断部が、少なくとも、前記時刻情報の登録順情報の過誤及び／又は前記時刻情報の未来時刻の存否を判断することを特徴とする情報管理装置により達成される。
【０００８】
前記構成によれば、登録順の時刻情報を伴う基本情報を格納する基本情報格納部と、時刻情報の過誤の存否を判断する時刻過誤判断部と、時刻過誤判断部が、少なくとも、前記時刻情報の登録順情報の過誤及び／又は前記時刻情報の未来時刻の存否を判断し、さらに、時刻過誤判断部が、前記時刻情報に過誤が存在すると判断したときは、その過誤情報を表示する表示部とを有している。
このため、対象装置である例えば、血糖測定装置で、測定時刻等の時刻情報を伴う測定データ等の基本情報を取得し、これを情報管理装置が取得したときは、時刻過誤判断部で当該時刻情報の過誤が存したか否かを判断することできる。また、この過誤情報は表示部で表示される。
このため、利用者等は対象装置で取得した基本情報の時刻情報に過誤があることが分かるので、対象装置の時計装置等を修正することができ、その後の基本情報の信頼性を高めることができる。
特に、前記構成では、血糖測定装置等の対象装置の構成を複雑化することなく、また、その装置の操作に影響を及ぼすことなく、その時刻情報等の誤差情報等を適切に利用者等に供給することができる。
【０００９】
さらに、前記構成では、時刻過誤判断部が、少なくとも、前記時刻情報の登録順情報の過誤、例えば、登録の順番と時刻の順番が相違していることや、時刻情報の未来時刻の存否、例えば、基本情報に含まれるはずがない未来の時刻が存在しているか否かを判断する。このため、簡単且つ適切な時刻過誤の判断をすることができる。
【００１０】
好ましくは、前記基本情報は、複数回にわたって取り込まれた複数の取込基本情報を有し、前記取込基本情報は、取込時刻情報付与部により、取込時刻情報と関連付けて取込時刻情報付基本情報として登録され、複数の取込時刻情報付基本情報のうち、特定の前記取込時刻情報付基本情報が、それ以前に取り込んだ前記取込時刻情報付基本情報の少なくとも一部の前記基本情報を重複して保有しているか否か判断し、重複しているときは、前記取込時刻情報付基本情報から当該重複して保有している前記基本情報を当該取込時刻情報付基本情報から除外する重複情報判断処理部を備え、前記時刻過誤判断部が、前記取込時刻情報に基づき当該直近の前記取込時刻情報付基本情報と、その直前の前記取込時刻情報付基本情報とを比較し、前記当該取込時刻情報付基本情報の前記時刻情報が、前記直前の前記取込時刻情報付基本情報の前記時刻情報の最新情報より過去の前記時刻情報を有しているか否かを判断することを特徴とする情報管理装置である。
【００１１】
前記構成によれば、時刻過誤判断部が、取込時刻情報に基づき当該直近の取込時刻情報付基本情報と、その直前の取込時刻情報付基本情報とを比較し、当該取込時刻情報付基本情報の前記時刻情報が、直前の前記取込時刻情報付基本情報の前記時刻情報の最新情報より過去の前記時刻情報を有しているか否かを判断する。
すなわち、複数の取込時刻情報付基本情報のうち、特定の取込時刻情報付基本情報の時刻情報が、その直前に取り込んだ取込時刻情報付基本情報の最新の時刻情報より過去であったとき、その時刻情報は過誤であると、容易に判断することができる。
かかる判断を加えることで、より精度の高い時刻過誤判断が可能となる。
【００１２】
また、このような判断をするためには、複数の取込時刻情報付基本情報のうち、特定の取込時刻情報付基本情報が、その直前に取り込んだ取込時刻情報付基本情報の少なくとも一部の基本情報を重複して保有していないことが必要となる。
そこで、前記構成では、複数の取込時刻情報付基本情報のうち、特定の取込時刻情報付基本情報が、それ以前に取り込んだ前記取込時刻情報付基本情報の少なくとも一部の基本情報を重複して保有しているか否か判断し、重複しているときは、取込時刻情報付基本情報から当該重複して保有している基本情報を当該取込時刻情報付基本情報から除外する重複情報判断処理部を備えている。
【００１３】
好ましくは、前記時刻過誤判断部が、前記時刻情報に過誤が存在すると判断したときは、その過誤情報を前記対象装置の表示部に表示させる構成となっていることを特徴とする情報管理装置である。
【００１４】
前記構成によれば、時刻過誤判断部が、前記時刻情報に過誤が存在すると判断したときは、その過誤情報を前記対象装置の表示部に表示させる構成となっているので、対象装置の利用者により確実に時刻誤差があることを伝えることができる。
【００１５】
前記課題によれば、本発明によれば、対象装置の登録順の時刻情報を伴う基本情報を対象装置情報取得部が取得する工程と、前記時刻情報を伴う基本情報を基本情報格納部に格納する工程と、前記時刻情報の過誤の存否を時刻過誤判断部が判断する工程と、前記時刻過誤判断部が、前記時刻情報に過誤が存在すると判断したときは、その過誤情報を表示部に表示する工程と、を有し、前記時刻過誤判断部が、少なくとも、前記時刻情報の登録順情報の過誤及び／又は前記時刻情報の未来時刻の存否を判断することを特徴とする情報管理方法により達成される。
【００１６】
好ましくは、前記基本情報は、複数回にわたって取り込まれた複数の取込基本情報を有し、前記取込基本情報は、取込時刻情報付与部により、取込時刻情報と関連付けて取込時刻情報付基本情報として登録され、複数の取込時刻情報付基本情報のうち、特定の前記取込時刻情報付基本情報が、それ以前に取り込んだ前記取込時刻情報付基本情報の少なくとも一部の前記基本情報を重複して保有しているか否か判断し、重複しているときは、重複情報判断処理部が、前記取込時刻情報付基本情報から当該重複して保有している前記基本情報を当該取込時刻情報付基本情報から除外する工程を備え、前記時刻過誤判断部が、前記取込時刻情報に基づき当該直近の前記取込時刻情報付基本情報と、その直前の前記取込時刻情報付基本情報とを比較し、前記当該取込時刻情報付基本情報の前記時刻情報が、前記直前の前記取込時刻情報付基本情報の前記時刻情報の最新情報より過去の前記時刻情報を有しているか否かを判断することを特徴とする情報管理方法である。
【００１７】
好ましくは、前記時刻過誤判断部が、前記時刻情報に過誤が存在すると判断したときは、その過誤情報を前記対象装置の表示部に表示させる構成となっていることを特徴とする情報管理方法である。
【発明の効果】
【００１８】
本発明は、血糖測定装置等の対象装置の構成を複雑化することなく、また、その装置の操作に影響を及ぼすことなく、その時刻情報等の誤差等を適切に利用者等に供給することができる情報管理装置及び情報管理方法を提供することができるという利点がある。
【図面の簡単な説明】
【００１９】
【図１】本発明に係る情報管理装置を適用した実施の形態に係る情報管理システムを示す概略図である。
【図２】図１の情報管理装置の主なハードウエア構成等を示す概略図である。
【図３】携帯用血糖測定装置の主な構成を示す概略ブロック図である。
【図４】情報管理装置の主な構成を示す概略ブロック図である。
【図５】本実施の形態にかかる情報管理システムの携帯用血糖測定装置の主な動作等を示す概略フローチャートである。
【図６】本実施の形態にかかる情報管理システムの情報管理装置の主な動作等を示す概略フローチャートである。
【図７】本実施の形態にかかる情報管理システムの情報管理装置の主な動作等を示す他の概略フローチャートである。
【図８】血糖測定装置側時刻付血糖測定データの内容を示す概略図である。
【図９】日時付取込データを示す概略図である。
【図１０】重複取込チェックの説明図である。
【図１１】測定順序矛盾のデータの概略説明図である。
【図１２】未来日時のデータの概略説明図である。
【図１３】過去日時のデータの概略説明図である。
【発明を実施するための形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明に係る情報管理装置を適用した実施の形態に係る情報管理システム１を示す概略図である。図１においてコンピュータ等から成る情報管理装置１０は、対象装置である例えば携帯用血糖測定装置５０とケーブル２等を介して通信可能な構成となっている。
すなわち、利用者は、図１の携帯用血糖測定装置５０のみを自宅等に持ち込み、自宅で必要に応じて血糖測定を行うことができるようになっている。
一方、情報管理装置１０は、病院等に配置され、医師等が操作可能な状態に置かれることになる。
この状態で、利用者が自宅等で携帯用血糖測定装置５０を使用して、複数回、血糖測定を行った後、利用者は、この血糖測定装置５０を持って病院に行き、診察等を受けることになる。このとき、持ち込まれた血糖測定装置５０は、図１に示すように、ケーブル２等で情報管理装置１０に接続され、血糖測定装置５０内のデータが情報管理装置１０内に取り込まれることになる。
【００２２】
そして、取り込まれた血糖測定データは、医師等がキーボード等の入力手段１１を操作することで、表示部である情報管理装置側ディスプレイ１２に表示される構成となっている。
一方、携帯用血糖測定装置５０にも、データを表示する血糖測定装置側ディスプレイ５１が形成されている。
なお、情報管理装置側ディスプレイ１２に表示される血糖測定データは、後述するように、血糖測定値の測定データと、その測定時刻であり、これらは、相互に関連付けて表示される。
【００２３】
図２は、図１の情報管理装置１０の主なハードウエア構成等を示す概略図である。図２に示すように情報管理装置１０は、コンピュータ等から成っているため、コンピュータは、ＣＰＵ（Ｃｅｎｔｒａｌ  Ｐｒｏｃｅｓｓｉｎｇ  Ｕｎｉｔ）１３、ＲＡＭ（Ｒａｎｄｏｍ  Ａｃｃｅｓｓ  Ｍｅｍｏｒｙ）１４、ＲＯＭ（Ｒｅａｄ  Ｏｎｌｙ  Ｍｅｍｏｒｙ）１５、ハードディスク１６等を有し、これらはバス１７を介して配置されている。
ところで、バス１７は、すべてのデバイスを接続する機能を有し、アドレスやデータパスを有する内部パスである。ＣＰＵ１３は所定のプログラムの処理を行う他、バス１７に接続されたＲＯＭ１５等を制御している。ＲＯＭ１５は、各種プログラムや各種情報等を格納している。ＲＡＭ１４は、プログラム処理中のメモリの内容を対比したり、プログラムを実行するためのエリアとしての機能を有する。
また、このバス１７には、図２に示すように、図１の携帯用血糖測定装置５０と通信するための情報管理装置側通信装置１８や計時装置である情報管理装置側時計１９も接続されている。
【００２４】
図３は、携帯用血糖測定装置５０の主な構成を示す概略ブロック図である。図３に示すように、携帯用血糖測定装置５０は、血糖測定装置側制御部６１を介して、実際に採血された血液中の血糖値を測定する血糖測定装置本体２０、血糖測定装置側ディスプレイ５１、計時装置である血糖測定装置側時計５３が接続されている。
また、図１の情報管理装置１０と通信するための血糖測定装置側通信装置５５も接続されている。図３に示す携帯用血糖測定装置５０の主なソフトウエア構成については後述する。
【００２５】
図４は、情報管理装置１０の主な構成を示す概略ブロック図であり、情報管理装置側制御部２０を介して、図２で示した情報管理装置側ディスプレイ１２、入力装置１１、情報管理装置側通信装置１８及び情報管理装置側時計１９等が接続されている。図４に示す情報管理装置１０の主なソフトウエア構成については後述する。
なお、情報管理装置側時計１９は、情報管理装置１０がインターネット等を介してシステム時刻を取得できるため極めて高精度な時計となっている。
図５は、本実施の形態にかかる情報管理システム１の携帯用血糖測定装置５０の主な動作等を示す概略フローチャートである。
図６及び図７は、本実施の形態にかかる情報管理システム１の情報管理装置１０の主な動作等を示す概略フローチャートである。
以下、図５乃至図７のフローチャートに沿って、情報管理システム１の動作等を説明しながら図３及び図４のソフトウエア構成等について説明する。
【００２６】
先ず、図５のフローチャートを説明する。
図１の携帯用血糖測定装置５０を自宅等で使用する際、携帯用血糖測定装置５０は、図５のＳＴ１に示すように、血糖測定データを取得したか否かを判断する。具体的には、図３の血糖測定データ取得判断プログラム５６が動作し、図３の血糖測定装置本体５２が採血後、その血糖値データを取得したか否かを判断する。
そして、ＳＴ１で、血糖測定データを取得したと判断した場合は、ＳＴ２で、血糖測定データを取得したタイミングにおける血糖測定装置側時計５３の時刻データを参照し、これと関連付けて血糖測定装置側時刻付血糖測定データ５７ａとして登録することになる。また、このとき、実際の測定順に血糖測定データを登録する。
具体的には、血糖測定データ登録プログラム５８が動作し、関連付けた時刻付血糖測定データを図３の血糖測定装置側時刻付血糖測定データ格納部５７に、血糖測定装置側時刻付血糖測定データ５７ａとして格納することとなる。
【００２７】
図８は、かかる血糖測定装置側時刻付血糖測定データ５７ａの内容を示す概略図である。
図８に示すように、血糖測定装置側時刻付血糖測定データ５７ａでは、血糖測定値が、その測定を行った血糖測定時刻と関連付けて登録されている。また、血糖測定装置側時刻付血糖測定データ５７ａは、図８の下段から上段に向かって実際の測定順に登録される。なお、この血糖測定装置側時刻付血糖測定データ５７ａが時刻情報を伴う基本情報の一例となる。
このようにして、携帯用血糖測定装置５０では、測定時刻と関連付けられる血糖測定データ、つまり、血糖測定装置側時刻付血糖測定データ５７ａが生成される。
本実施の形態では、例えば、図８に示す７つの測定データを例に説明する。すなわち、測定時刻が２００８年１１月１８日、１０時で血糖測定値が１０５、同年１１月１７日、１０時で血糖測定値が１２０、同年９月１８日、９時３０分で、血糖測定値が１１０、同年９月１７日、１０時で、血糖測定値が１００、同年９月１９日、１０時３０分で、血糖測定値が１２１、同年９月１８日、９時で、血糖測定値が１１５、そして、同年９月１７日１０時で、血糖測定値が１００となっている。
以上で、携帯用血糖測定装置５０側の血糖測定装置側時刻付血糖測定データ５７ａの取得登録工程が終了する。
【００２８】
次に、図１の情報管理装置１０の動作等について説明する。
先ず、図６のＳＴ１１に示すように、情報管理装置１０は、携帯用血糖測定装置５０とデータ通信モードとなった否かを判断する。これは、例えば、図１に示すように、情報管理装置１０と携帯用血糖測定装置５０がケーブル２等で接続された否かであり、具体的には、図４の通信モード判断プログラム２１が、情報管理装置側通信装置１８の通信状態等を判断する。
ＳＴ１１で、データ送信モードとなった。すなわち、ケーブル２が接続され、両者間で通信が可能な状態となったときは、ＳＴ１２に進む。ＳＴ１２では、血糖測定装置側時刻付血糖測定データ５７ａが情報管理装置１０へ送信され、情報管理装置１０が受信する。
具体的には、携帯用血糖測定装置５０の血糖測定装置側通信装置５５、情報管理装置１０の情報管理装置側通信装置１８及びケーブル２等により送受信される。これらが対象装置情報取得部の一例となる。
【００２９】
また、ＳＴ１２では、血糖測定装置側時刻付血糖測定データ５７ａの受信時の日時を図４の情報管理装置側時計１９から取得し、これを取込日時データとして、受信した血糖測定装置側時刻付血糖測定データ５７ａと関連つけ、日時付取込データ２２ａとして仮登録する。具体的には、図４の血糖測定装置側データ登録プログラム２３が動作して、日時付取込データ格納部２２に日時付取込データ２２ａを格納する。
図９は、日時付取込データ２２ａを示す概略図である。
図９に示すように、携帯用血糖測定装置５０から受信した血糖測定装置側時刻付血糖測定データ５７ａの測定時刻及び測定値が取込日時データと共に関連付けられて登録される。このとき、血糖測定装置側時刻付血糖測定データ５７ａは、前回の日時取込データ２２ａと区別されて登録される。
また、血糖測定装置側時刻付血糖測定データ５７ａの登録順は図８と同様に登録され、例えば、図９の下段から上段に向かって順に登録される。
さらに、今回登録される日時付取込データ２２ａは、例えば、一旦、図９の登録種別の欄に、仮登録される。
【００３０】
日時付取込データ格納部２２ａが、基本情報格納部及び取込時刻情報付基本情報の一例であり、血糖測定装置側データ登録プログラム２３が、取込時刻情報付与部の一例となっている。
【００３１】
次いで、ＳＴ１３に進む。ＳＴ１２で取り込んだ日時付取込データ２２ａは、その直前に取り込まれた日時付取込データ２２ａの内容と重複している可能性がある。そこで、この重複部分を排除（除外）するため、ＳＴ１３以下の工程を行なう。
ＳＴ１３では、先ず、今回の取込データである日時付取込データ２２ａと、前回の取込データである日時付取込データ２２ａを特定する。具体的には、図９の上から１段目から７段目までの７件分を今回の日時付取込データ２２ａとし、図９の上から８段目から１３段目までの６件分を前回の日時付取込データ２２ａとして特定する。
また、ＳＴ１３では、今回の日時付取込データ２２ａのうち最も古いデータ、例えば、図９の上から７段目の日時付取込データ２２ａである「測定時刻（２００８年９月１７日、１０時）、測定値（１００）」のデータの測定時刻及び測定値をチェック用データとして抽出する。この動作は、図４のチェック用データ抽出プログラム２４が実行する。
【００３２】
次にＳＴ１４へ進む。ＳＴ１４では、ＳＴ１３で抽出したチェック用データと同じ測定時刻及び測定値が、前回の日時付取込データ２２ａに含まれているか否かを検索し、ＳＴ１５では、該当する日時付取込データ２２ａが存在するか否かを判断する。
ＳＴ１４以下のチェック工程については、図１０の説明図を参照しつつ説明する。図１０は重複取込チェックの説明図である。
ＳＴ１４及びＳＴ１５の工程では、図１０の右側の今回の日時付取込データ２２ａの最下段のチェック用データの「測定時刻及び測定値」が、左側の前回の日時付取込データ２２ａの「測定時刻及び測定値」に存在するか否かを判断することになる。
図１０では、左側の前回の日時付取込データ２２ａの最下段のデータ及び上から３段目のデータが該当する。
【００３３】
ＳＴ１５で該当データがあったと判断された場合は、今回の日時取込データ２２ａには、前回の日時取込データ２２ａが含まれていることになる。
ＳＴ１５で、該当データがあったと判断された場合は、ＳＴ１６へ進む。ＳＴ１６では、ＳＴ１５の該当データが、前回の日時付取込データ２２ａの最新の登録データか否かを判断する。すなわち、図１０の例では、右下の今回の日時付取込データ２２ａは、左側の前回の日時付取込データ２２ａの上から３段目及び６段目の日時付取込データ２２ａに該当する。このため、最新の登録データ、図１０では、前回の日時付取込データ２２ａの最上段のデータとはならないことになる。
【００３４】
このＳＴ１６で、ＳＴ１５の該当データが最新の登録データであるとされたときは、今回の日時付取込データ２２ａのチェック用データ（右下の日時付取込データ２２ａ）が、前回の日時付取込データ２２ａの最新のデータに相当すること、すなわち、チェック用データより新しい登録データ（例えば、右側の下から２段目の日時付取込データ２２ａ）は、重複取込されている可能性が極めて低いことになる。
そこで、図６のＳＴ１７に示すように、チェック用データ（右下の日時付取込データ２２ａ）より新しい右側の下から２段目の日時付取込データ２２ａより上段の新しいデータ（右下の下から２段目から最上段目までのデータ）を、今回の最新の日時付取込データ２２ａとして登録する。
この登録は、例えば図９の登録種別を仮登録から本登録に変更することにより行う。
【００３５】
また、ＳＴ１５で、該当データがない場合は、重複取込の日時付取込データ２２ａが存在しないことになるので、ＳＴ１８に進み、今回の日時付取込データ２２ａの全ての登録種別を本登録に変更することになる。
【００３６】
一方、ＳＴ１６で、該当データが前回の日時付取込データ２２ａの最新（図１０の最上段）のデータでない場合は、図１０の今回の日時付取込データ２２ａの下から２段目以降のデータが前回の日時付取込データ２２ａに含まれている可能性がある。
そこで、ＳＴ１９に進む。ＳＴ１９では、既に使用したチェック用データの次に古いデータの測定時刻及び測定値をチェック用データとして抽出する。そして、ＳＴ１４乃至ＳＴ１７の工程を繰り返すことになる。
すなわち、図１０の今回の日時付取込データ２２ａの下から２段目をチェック用データとして、前回の日時付取込データ２２ａの最上段に該当データが存在するか等を判断し、これを、下から３段目、４段目と繰り返す。
【００３７】
以上のような工程を経ることで、今回の日時付取込データ２２ａに含まれている、前回の日時付取込データ２２ａを仮登録として表示することで、事後の処理等から除外（排除）することができる。この処理は、後述するＳＴ２２等の前提処理となる。
【００３８】
ＳＴ１４乃至ＳＴ１９の動作は、図４の重複取込チェックプログラム２３で実行される。このため、重複取込チェックプログラム２５が、重複情報判断処理部の一例となっている。
【００３９】
また、ＳＴ１６において、該当データが前回の日時付取込データ２２ａの最新データでない場合、ＳＴ１４乃至ＳＴ１９の処理を繰り返し行うことになるが、この場合、ＳＴ１５の該当データの存在が連続する順に沿って処理を続けることが好ましい。
なぜなら、該当データが連続して存在する部分を検索することで、前回の日時付取込データ２２ａの最新データを発見し易いからである。
一方で、ＳＴ１４乃至ＳＴ１９の処理を行い、ＳＴ１６で前回の日時付取込データ２２ａの最新のデータを明確に発見できなかった場合は、今回の日時付取込データ２２ａの全てついて前回の日時付取込データ２２ａに該当するか否か判断し、その結果、該当せず、残った今回の日時付取込データ２２ａを本登録にすることになる。
【００４０】
次に、情報管理装置１０は、図９に示すように、日時付取込データ２２ａとして登録された、今回の日時付取込データ２２ａに測定時刻の過誤登録がないか否かを判断する。図１の携帯用血糖測定装置５０には、血糖測定装置側時計５３があり、この時刻に従い、図８の測定時刻は登録される。
しかし、この血糖測定装置側時計５３に、誤差が生じることがあり、この誤差を修正するため、携帯用血糖測定装置５０には、時刻修正装置等が備わっている。一方、携帯用血糖測定装置５０は、老人等が操作するため、時刻修正装置を誤操作し、その後、著しく誤った時刻が表示されることがある。
そこで、かかる誤差情報を抽出するのが、以下の工程となる。
【００４１】
具体的には、図７のＳＴ２０、ＳＴ２１及びＳＴ２２が実施される。ＳＴ２０では、本登録済み今回の取込データに測定順序が矛盾するデータがあるか否かを判断する。すなわち、図９の今回の取込データである日時付取込データ２２ａ（上から１段目から７段目）は、下から測定順に登録されるので、上段に向かって新しい測定時刻が登録されているはずである。
しかし、複数の測定の間に利用者が携帯用血糖測定装置５０の血糖測定装置側時計５３を誤って修正等した場合、その測定順に測定時刻が登録されないことになる。
そこで、ＳＴ２０では、今回の日時付取込データ２２ａの測定時刻を参照し、例えば、図９の下段から上段に向かって順に測定時刻が並んでないデータを検索し、存在した場合はそれを抽出する。
図９の場合は、上から４段目のデータが該当する。
また、図１１は、測定順序矛盾のデータの概略説明図である。図１１の破線部分に示されているように、日時付取込データ２２ａを測定順に表すと、測定日時の順序とは逆に、過去に遡るような矛盾した表示が生じるのが分かる。
【００４２】
ＳＴ２０で、測定順序が矛盾するデータがあった場合は、ＳＴ２３で、日時付取込データ２２ａの測定順序矛盾の欄にフラッグ（マーク）を付す。
具体的には、図４の測定順序矛盾判断プログラム２６が実行する。
【００４３】
また、ＳＴ２１では、本登録済み今回の取込データに未来時刻があるか否かが判断される。具体的には、図９の今回の取込データである日時付取込データ２２ａ（上から１段目より７段目まで）は、同図の取込日時以前に測定されたはずである。
しかし、利用者が携帯用血糖測定装置５０の血糖測定装置側時計５３を誤って修正等した場合、誤って未来時刻に時計を修正することがあり、これにより、測定時刻が誤って登録されることがある。
そこで、ＳＴ２１では、今回の日時付取込データ２２ａの測定時刻を参照し、例えば、図９の取込日時である「２００８年１１月１９日  １２時」以降の測定時刻、すなわち、未来時刻を有する日時付取込データ２２ａを抽出する。
図１２は、未来日時のデータの概略説明図である。図１２の破線部分に示されているように、取込日時より未来のデータが生じる。
【００４４】
そして、ＳＴ２４で、測定時刻に未来時刻がある場合は、ＳＴ２４で、日時付取込データ２２ａの未来日時の欄にフラッグ（マーク）を付す。
具体的には、図４の未来日時判断プログラム２７が実行する。
【００４５】
また、ＳＴ２２では、本登録済み今回の取込データに前回の取込データより過去の日時があるか否かが判断される。具体的には、図９の今回の取込データである日時付取込データ２２ａである上から１段目より７段目までのデータの測定時刻に、前回の日時付取込データ２２ａの最新の登録データである上から８段目の測定時刻より過去のデータがあるか否かが判断される。
すなわち、上述のＳＴ１７及びＳＴ１８で、図９に示すように、本登録となっているデータは、前回と重複したデータではないことを示しているので、この本登録のデータを基準に、今回の日時付取込データ２２ａの測定時刻と前回の最新の登録データの測定時刻を比較する。
これにより、今回、取り込んだ日時付取込データ２２ａに、前回、取り込んだ日時付取込データ２２ａの最新の登録データの測定時刻より過去のデータがあるか否かを的確に判定できる。
【００４６】
図１３は、過去日時のデータの概略説明図である。図１３の破線部分に示されているように、日時付取込データ２２ａを測定順に表すと、前回取り込んだデータより過去の存在しないデータが示される。
そして、ＳＴ２２で、測定時刻に過去日時がある場合は、ＳＴ２５で、日時付取込データ２２ａの過去日時の欄にフラッグ（マーク）を付す。
上記動作は、具体的には、図４の過去日時判断プログラム２８で実行される。
また、測定順序矛盾判断プログラム２８、未来日時判断プログラム２７及び過去日時判断プログラム２８が、時刻過誤判断部の一例となっている。
【００４７】
次にＳＴ２６へ進む。ＳＴ２６では、今回の本登録済み取込データである日時付取込データ２２ａの測定順序、未来日時、過去日時の各欄にフラッグ（マーク）が付されている日時付取込データ２２ａを抽出し、それぞれ該当する警告を、情報管理装置１０の情報管理装置側ディスプレイ１２、又は同ディスプレイ１２及び携帯用血糖測定装置５０の血糖測定装置側ディスプレイ５１に表示し、利用者にかかる事実を知らせる。
具体的には、図４の測定順序矛盾、過去日時、未来日時等該当時刻付血糖測定データ抽出プログラム２９及び時刻修正結果表示プログラム３０が、かかる動作を実行する。
これにより、このため、利用者等は携帯用血糖測定装置５０で取得した血糖測定装置側時刻付血糖測定データ５７ａの測定時刻に過誤があることが分かるので、血糖測定装置側時計等を修正することができ、その後の血糖測定装置側時刻付血糖測定データの信頼性を高めることができる。
また、本実施の形態の警告は測定順序矛盾、未来日時そして過去日時等から測定時刻の過誤を抽出するので、複雑な構成を用いることなく、簡易且つ確実に測定時刻の過誤を判断し、情報管理装置側ディスプレイ１２に、当該時刻の過誤がある日時付取込データ２２ａを表示することができる。
また、本実施の形態では、携帯用血糖測定装置５０等の構成を複雑化することなく、また、その装置の操作に影響を及ぼすことなく、その測定時刻等の誤差情報を適切に利用者等に提供することができる。
【００４８】
本発明は、上述の各実施の形態に限定されない。
【符号の説明】
【００４９】
１・・・情報管理システム、２・・・ケーブル、１０・・・情報管理装置、１１・・・情報管理装置側ディスプレイ、１３・・・ＣＰＵ、１４・・・ＲＡＭ、１５・・ＲＯＭ、１６・・・ハードディスク、１７・・・バス、１８・・・情報管理装置側通信装置、１９・・・情報管理装置側時計、２０・・・情報管理装置側制御部、２１・・・データ送信モード判断部、２２・・・日時付取込データ格納部、２３・・・血糖測定装置側データ登録プログラム、２４・・・チェック用データ抽出プログラム、２５・・・重複取込チェックプログラム、２６・・・測定順序矛盾判断プログラム、２７・・・未来日時判断プログラム、２８・・・過去日時判断プログラム、２９・・・測定順序矛盾、過去日時、未来日時等該当時刻付血糖測定データ抽出プログラム、３０・・・時刻修正結果表示プログラム、５０・・・携帯用血糖測定装置、５１・・・血糖測定装置側ディスプレイ、５２・・・血糖測定装置本体、５３・・・血糖測定装置側時計、５５・・・血糖測定装置側通信装置、５６・・・血糖測定データ登録プログラム、５７・・・血糖測定装置側時刻付血糖測定データ格納部、５８・・・血糖測定データ登録プログラム、６１・・・血糖測定装置側制制御部
【図１】
2010237844.tif 000003
【図２】
2010237844.tif 000004
【図３】
2010237844.tif 000005
【図４】
2010237844.tif 000006
【図５】
2010237844.tif 000007
【図６】
2010237844.tif 000008
【図７】
2010237844.tif 000009
【図８】
2010237844.tif 000010
【図９】
2010237844.tif 000011
【図１０】
2010237844.tif 000012
【図１１】
2010237844.tif 000013
【図１２】
2010237844.tif 000014
【図１３】
2010237844.tif 000015